(57)【要約】      （修正有）【課題】蛇篭の組立作業で行う結束用金属線の捻転作業を効率化させ、工期短縮、作業コストの圧縮を可能とする回転工具アタッチメントを提供する。【解決手段】回転工具アタッチメント２０は、回転工具１０のビットホルダ１１に装着可能な軸部２１と、この軸部２１に基端部を連接させた金属線挟持部２４とを備え、該金属線挟持部２４は、金属線を挟持する空隙を形成するよう二枚の平板材を略平行に設け、当該平板材の側端部に、金属線の飛び出しを防止する拘束材を設けた。蛇篭の骨線同士を結束する金属線を金属線挟持部２４に挟んで回転工具１０を介して捻転するものである。【選択図】図１
0003183028.tif 000002
【実用新案登録請求の範囲】
【請求項１】
動力装置を備える回転工具に取り付けるアタッチメントであって、
当該アタッチメントは、
蛇篭パネルの骨線同士を結束させる金属線を捻るものであり、
前記回転工具のビットホルダに装着可能な軸部と、
この軸部に基端部を連接させた金属線挟持部とを備え、
該金属線挟持部は、
前記金属線を挟持する空隙を形成するよう二枚の平板材を略平行に設け、
当該平板材の側端部に、金属線の飛び出しを防止する拘束材を設けたことを特徴とする蛇篭組立用の回転工具アタッチメント。
【請求項２】
金属線挟持部を構成する平板材は、基端部から先端に向かって次第に幅寸法を収縮させ略台形状に成形したことを特徴とする請求項１記載の蛇篭組立用の回転工具アタッチメント。
【請求項３】
二枚の平板材の間に、略Ｕ字状を呈する金属線の脚部を案内するガイド部材を設けたことを特徴とする請求項１または請求項２記載の蛇篭組立用の回転工具アタッチメント。
【考案の詳細な説明】
【技術分野】
【０００１】
本考案は、蛇篭組立用の結束金属線を捻る回転工具に係り、とくに、動力駆動式の回転工具に取り付けるアタッチメント（治具）に関する。
【背景技術】
【０００２】
河川の堤防法面、海洋に構築する潜堤、谷地の土留工事等の各種工事に用いる蛇篭は、内部に石材を納めるボックス状の金網製品である。
【０００３】
蛇篭は、使用目的等によって各種の形状があり、名称もふとん篭等、形状によって異なる場合があるが、基本的には、図６に示すように、例えば、底面１、二つの長側面２、二つの短側面３、上面４によって略直方体に成形される。
【０００４】
各面（１〜４）は、太い金属線（棒材）である骨線Ｆに金属線Ｎを編み込んで金網（ネット）としたもので、各面（１〜４）は、それぞれ適宜の方式で結束させるようになっている。
【０００５】
各面（１〜４）の結束のさせかたは、従来からさまざまな方式が提案されている。例えば、下記特許文献１、特許文献２のように結束用コイル材を用いる方式等である。またヒンジ（蝶番）を介して接続させる場合もある。
【０００６】
しかしながら、製品コストを低減させる等の必要から、特殊な事情がない場合は、各面（１〜４）の骨線Ｆを密着させ、密着させた二本の骨線Ｆを金属線を介して捻転結束させることが多い。
【先行技術文献】
【特許文献】
【０００７】
【特許文献１】特開平０５−１７９６２８号
【特許文献２】特開平１１−２９３６４４号
【考案の開示】
【考案が解決しようとする課題】
【０００８】
金属線の捻転によって組み立てる蛇篭は、製品コストを抑えることが可能である一方で、現場における組立敷設に要する作業時間の短縮が難しく、工期の短縮や作業コストの圧縮などの点で改善の余地を残していた。金属線の捻転は、一個一個を人力で捻っていたからである。
【０００９】
そこで、本考案の目的は、蛇篭の組立作業で行う結束用金属線の捻転作業をより効率化させ、工期短縮、作業コストの圧縮を可能とすることにある。
【課題を解決するための手段】
【００１０】
前記目的を達成するため、本考案に係る回転工具アタッチメントは、回転工具のビットホルダに装着可能な軸部と、この軸部に基端部を連接させた金属線挟持部とを備え、該金属線挟持部は、前記金属線を挟持する空隙を形成するよう二枚の平板材を略平行に設け、当該平板材の側端部に、金属線の飛び出しを防止する拘束材を設けた（請求項１）。
【００１１】
本考案は、蛇篭を構成する金網パネル材の骨線同士を結束する金属線を、各種の回転工具を介して捻転できるよう、回転工具によって駆動できる軸部に金属線挟持部を取り付けたものである。金属線挟持部は、回転工具の駆動によって骨線同士を結束する金属線を挟んだ状態で捻転させることが出来る。
【００１２】
回転工具は、電動モータまたは圧送エアによって適宜のトルクと安全な回転数を得るので、骨線同士を結束する金属線は、人力による捻転操作に較べて格段に効率的な捻転処理（結束処理）を施すことが出来る。
【００１３】
金属線挟持部を構成する平板材は、基端部から先端に向かって次第に幅寸法を収縮させ略台形状に成形する場合がある（請求項２）。
【００１４】
金属線挟持部の形状を、先端に向かって収縮させておくことにより、狭い箇所での捻転作業も容易となるからである。
【００１５】
二枚の平板材の間に、略Ｕ字状を呈する金属線の脚部を案内するガイド部材を設ける場合がある（請求項３）。
【００１６】
ガイド部材を設けることにより、金属線挟持部の内部へ金属線を導入しやすくなり作業効率が高まるだけでなく、回転工具を介した捻転時に金属線の動きを拘束できるので、回転工具の操作性も確実に向上させることが出来る。
【考案の効果】
【００１７】
本考案に係る回転工具アタッチメントによれば、蛇篭の組立作業で行う結束用金属線の捻転作業をより効率化させることが可能となり、工期短縮を実現し、作業コストの圧縮を図ることが出来る。
【図面の簡単な説明】
【００１８】
【図１】実施形態に係るアタッチメントを回転工具とともに例示する図である。
【図２】実施形態に係る回転工具アタッチメントを例示する斜視図である。
【図３】実施形態に係る骨線を結束する金属線を例示する図である。
【図４】実施形態に係る金属線挟持部に金属線を装着させる図である。
【図５】実施形態に係るガイド部材を例示する図である。
【図６】蛇篭を例示する図である。
【考案を実施するための形態】
【００１９】
図１に示すように、本考案に係る回転工具アタッチメント２０は、電動またはエアによって回転駆動する回転工具１０のビットホルダ１１に取り付けて使用するものである。
【００２０】
１４は、電動モータ等を備える回転工具１０の本体、１５は、回転工具１０の把手、１６は、電動モータ等の駆動装置をオンオフさせるトリガースイッチ、１７は、駆動装置が電動モータである場合に直流電源を供給するためのバッテリーである。バッテリー１７は着脱自在にしておくことが望ましい。
【００２１】
２１は、ビットホルダ１１に基端部を装着固定させる軸部、２４は、この軸部に基端部を連接させた金属線挟持部である。２５は、軽量化のための適宜数の孔部である。本考案に係る回転工具アタッチメント２０は、軸部２１と金属線挟持部２４を備えるよう構成する。
【００２２】
図２に示すように、軸部２１は、例えば、断面形状が六角形を呈するように成形する。もちろん、軸部２１の断面形状や太さは、回転工具１０のビットホルダ１１の仕様に適合するよう成形するので、他の形状（例えば円形等）であっても構わない。
【００２３】
金属線挟持部２４は、適宜形状、例えば、基端（軸部２１側）から先端に向かって幅寸法を収縮させた形状、例えば台形状とすることが出来る。先端を収縮させた方が、コーナー部に配する金属線の捻転が容易になるからである。軽量化のための孔部２５は、必ずしも設ける必要はない。また金属線挟持部２４の形状は、必ずしも台形状である必要はない。
【００２４】
金属線挟持部２４は、剛性のある平板材、例えば金属板を用いて成形する。現場における乱暴な取り扱いがあっても容易には破損しにくいからである。剛性があれば樹脂板を用いて成形することも出来る。
【００２５】
金属線挟持部２４は、二枚の平板材（例えば金属板）を略平行に対向配置させ、蛇篭パネル結束用の金属線を挟持するための空隙を形成する。
【００２６】
また、平板材の側端部に、蛇篭パネル結束用の金属線の飛び出しを防止する拘束材２７を設ける。この拘束材２７は、例えば、金属線挟持部２４の基端部側に設けておき、先端部分は開放しておくことが望ましい。蛇篭パネル結束用の金属線を先端部側から内部へ導入しやすくさせるためである。
【００２７】
図３は、蛇篭パネル結束用の金属線４０を例示するものである。金属線４０は、蛇篭パネルを構成する二本の骨線Ｆ同士を括るように配する。金網Ｎがあるので、金属線４０は、捻転させなくても係止状態を保つ。
【００２８】
この金属線（結束用リボン）４０は、好ましくは、図４にも示すように、平行脚部４１、幅寸法を狭めた収縮部４２、くびれ部４３、先端湾曲部４４を備えるよう成形する。くびれ部４３を設けることによって、作業時に二本の骨線Ｆを括って係止させておくことが出来、先端湾曲部４４を設けることによって、平行脚部４１を捻転させたときにも当該先端湾曲部４４が骨線Ｆを抱持したまま動きにくく、金属線（結束用リボン）４０の揺動を防止するからである。
【００２９】
図４の矢印Ｌで示すように、金属線挟持部２４は、その先端方向から金属線４０の平行脚部４１を内部に案内する。作業者は、金属線４０の平行脚部４１が金属線挟持部２４に正常に装着されたことを確認した後、回転装置１０のトリガースイッチ１６をオンにして、金属線挟持部２４を回転させ平行脚部４１を捻転させる。
【００３０】
より好ましくは、図５に示すように、金属線挟持部２４の内部に、金属線４０の平行脚部４１を案内するガイド部材５１〜５３を設ける。
【００３１】
ガイド部材５１は、例えば、金属線挟持部２４の内部略中央に設けるもので、基端部（軸部２１側）から先端に向かって収縮させた略二等辺三角形を呈するものであり、ガイド部材５２、５３は、例えば、金属線挟持部２４の内部の左右両端部に設けるもので、基端部（軸部２１側）から先端に向かって収縮させた略直角三角形を呈するものである。
【００３２】
この場合、ガイド部材５２、５３が、前記拘束材２７としての機能を営む。ガイド部材５２、５３が存在しない部分Ｇは開放されており、金属線挟持部２４の先端から金属線４０の平行脚部４１、収縮部４２、くびれ部４３を挿入できるようになっている。
【００３３】
従って、かかるアタッチメントによれば、蛇篭パネル結束用の金属線４０を二本の骨線Ｆに括ってから、当該金属線４０の平行脚部４１、収縮部４２、くびれ部４３を金属線挟持部２４に案内して、正常な装着状態であることを視認した後、回転工具１０をオンにして金属線４０の平行脚部４１、収縮部４２、くびれ部４３を捻転させることによって、効率よく金属線４０の捻転処理（結束処理）を行うことが出来る。
【００３４】
従来のように一個一個の結束線を人力で捻るよりも、処理速度は格段に向上するので、工期を短縮し、作業コストを圧縮することが出来る。回転工具１０の回転速度は適宜調整できるので、熟練程度に応じた安全も確保できる。
【００３５】
本考案に係る金属線挟持部２４には、必ずしもガイド部材５１〜５３を設ける必要はない。しかしながら、ガイド部材５１〜５３を設けておくほうが、金属線４０の案内操作が容易となるだけでなく、捻転時における金属線４０の動きを最小限に拘束できる点で操作性も高まる。
【００３６】
金属線４０の収縮部４２は、金属線挟持部２４の内部略中央に設けるガイド部材５１の収縮角度と略同一としておくことが望ましい（図５参照）。金属線挟持部２４の先端開口から案内する金属線４０の平行脚部４１の幅は、ガイド部材５１の最大横幅より小さくても構わない。金属線４０の平行脚部４１は、ガイド部材５１に案内されつつ拡開できるからである。もちろん、平行脚部４１の幅を、ガイド部材５１の最大横幅より大きく設定しても良い。
【００３７】
図５では、金属線４０の平行脚部４１が金属線挟持部２４の基端部開口から突出するように図示してあるが、平行脚部４１の長さは適宜設定できるので、金属線挟持部２４の基端部開口から突出しない長さに設計しても構わない。
【００３８】
金属線４０の太さ（径）を調整すれば、回転工具１０の回転トルクに応じた好ましい捻転操作を実現できる。図５では、金属線４０の先端湾曲部４４の一部まで金属線挟持部２４に案内して捻転するように示したが、回転工具１０のトルクや骨線Ｆの太さによっては、先端湾曲部４４を捻転させない場合もある。
【００３９】
なお、金属線４０は、略Ｕ字状を呈するが、必ずしも収縮部４２やくびれ部４３を必要としない。平行脚部４１と先端湾曲部４４だけでも骨線Ｆの結束は出来るからである。
【００４０】
回転工具１０は、電動モータによるビット駆動のもの（例えば電動スクリュードライバ装置）に限らず、圧縮エアを利用したもの（例えばエアスクリュードライバ装置）であってもよい。スクリュードライバ装置は回転数が比較的遅いので安全な作業が可能である。
【００４１】
蛇篭は、金属線４０を用いた結束箇所がタイプによって異なるが、金属線４０を用いて骨線Ｆを結束する箇所では、本考案に係るアタッチメントを適用して捻転処理を行うことが出来る。
【符号の説明】
【００４２】
１０  回転工具
１１  ビットホルダ
１４  本体
１５  把手
１６  トリガースイッチ
１７  バッテリー
２０  回転工具アタッチメント
２１  軸部
２４  金属線挟持部
２５  孔部
２７  拘束材
４０  金属線
４１  平行脚部
４２  収縮部
４３  くびれ部
４４  先端湾曲部
５１〜５３  ガイド部材
Ｆ  骨線
Ｇ  ガイド部材が存在しない部分（開放部分）
Ｎ  金網
【図１】
0003183028.tif 000003
【図２】
0003183028.tif 000004
【図３】
0003183028.tif 000005
【図４】
0003183028.tif 000006
【図５】
0003183028.tif 000007
【図６】
0003183028.tif 000008